(57)【要約】      （修正有）【課題】腰に巻くことによって血行を十分に促進することができ、また腰部のみに限られず腹部に対しても指圧効果を発揮することができる腰ベルトを提供する。【解決手段】ベルト本体３と、腰部対応部５と、腹部対応部２１からなる。腰部対応部と腹部対応部には、突起部７ａ〜７ｇ、２３ａ、２３ｂと粉末付着部１５、２９が設けられる。突起部の先端部にはゲルマニウム鉱石１１、２５、トルマリン鉱石１３、２７が備えられている。【選択図】図１
0003159283.tif 000002
【実用新案登録請求の範囲】
【請求項１】
ベルト本体と、前記ベルト本体に設けられ、前記ベルト本体を腰に巻くと腰部に当接する腰部対応部と、前記腰部対応部に設けられ、腰部を押圧する突起部とを備える腰ベルトにおいて、前記突起部にはゲルマニウム鉱石とトルマリン鉱石の少なくとも一方が備えられていることを特徴とする腰ベルト。
【請求項２】
請求項１に記載した腰ベルトにおいて、ベルト本体に設けられ、前記ベルト本体を腰に巻くと腹部に当接する腹部対応部と、前記腹部対応部に設けられ、腹部を押圧する突起部とを備え、前記突起部にはゲルマニウム鉱石とトルマリン鉱石の少なくとも一方が備えられていることを特徴とする腰ベルト。
【請求項３】
請求項１または２に記載した腰ベルトにおいて、腰部対応部と腹部対応部の少なくとも一方にはトルマリン鉱石の粉末が付着されて構成される粉末付着部が設けられていることを特徴とする腰ベルト。
【考案の詳細な説明】
【技術分野】
【０００１】
本考案は腰をサポートし、且つ血行を促進する腰ベルトに関するものである。
【背景技術】
【０００２】
腰に巻くことによって腰をサポートし、血行を促進する腰ベルトがあり、この種の腰ベルトとして特許文献１に記載されたものがある。この特許文献１に記載された腰ベルトは、その中央部に指圧効果粒状物を配置している。これにより腰ベルトが取着された時に、腰椎の両側を押圧して、腰部に指圧同様の効果を与える。
【先行技術文献】
【特許文献】
【０００３】
【特許文献１】特開２００２−３４５８６６号公報
【考案の概要】
【考案が解決しようとする課題】
【０００４】
しかしながら、腰ベルトを腰に巻いて、指圧効果粒状物等の突起部で腰部を押圧させただけでは、血行を十分に促進することができない。また上記の腰ベルトでは指圧できるのが腰部のみに限られてしまうという問題がある。
本考案は上記従来の問題点に着目して為されたものであり、腰に巻くことによって血行を十分に促進することができ、また腰部のみに限られず腹部に対しても指圧効果を発揮することができる腰ベルトを提供することを、その目的とする。
【課題を解決するための手段】
【０００５】
本考案は上記課題を解決するためになされたものであり、請求項１の考案は、ベルト本体と、前記ベルト本体に設けられ、前記ベルト本体を腰に巻くと腰部に当接する腰部対応部と、前記腰部対応部に設けられ、腰部を押圧する突起部とを備える腰ベルトにおいて、前記突起部にはゲルマニウム鉱石とトルマリン鉱石の少なくとも一方が備えられていることを特徴とする腰ベルトである。
【０００６】
請求項２の考案は、請求項１に記載した腰ベルトにおいて、ベルト本体に設けられ、前記ベルト本体を腰に巻くと腹部に当接する腹部対応部と、前記腹部対応部に設けられ、腹部を押圧する突起部とを備え、前記突起部にはゲルマニウム鉱石とトルマリン鉱石の少なくとも一方が備えられていることを特徴とする腰ベルトである。
【０００７】
請求項３の考案は、請求項１または２に記載した腰ベルトにおいて、腰部対応部と腹部対応部の少なくとも一方にはトルマリン鉱石の粉末が付着されて構成される粉末付着部が設けられていることを特徴とする腰ベルトである。
【考案の効果】
【０００８】
本考案の腰ベルトによれば、腰に巻くことによって血行を十分に促進することができ、また腰部のみに限られず腹部に対しても指圧効果を発揮することができる。
【図面の簡単な説明】
【０００９】
【図１】本考案の実施の形態に係る腰ベルトを裏面側から見た図である。
【図２】図１の腰ベルトのＡ−Ａ断面図である。
【図３】図１の腰ベルトを表面側から見た図である。
【図４】図１の腰ベルトを腰に巻いた状態を示す図である。
【考案を実施するための形態】
【００１０】
本考案の実施の形態に係る腰ベルト１を図面にしたがって説明する。
図１において符号３はベルト本体を示し、このベルト本体３の裏面（図１において見える面、即ち腰に巻いたときに体に当接する側の面）の中央部には幅広の腰部対応部５が設けられており、この腰部対応部５には１２個の略半球状をした突起部７が設けられている。腰部対応部５の中央部には２つの突起部７ａ、７ｂが上下に間隔をあけて配置されており、突起部７ａ、７ｂの左右には３つの突起部７ｃ、７ｄ、７ｅが上下に等間隔にそれぞれ配置されている。突起部７ｃ、７ｃ、７ｄ、７ｄ、７ｅ、７ｅの左右には２つの突起部７ｆ、７ｇが上下に間隔をあけてそれぞれ配置されている。即ち、１２個の突起部７は突起部７ａ、７ｂを中心として線対称に配置されている。
【００１１】
突起部７ａ、７ｂ、７ｃ、７ｅにはゲルマニウム鉱石１１がそれぞれ備えられており、突起部７ｄ、７ｆ、７ｇにはトルマリン鉱石１３がそれぞれ備えられている。これらのゲルマニウム鉱石１１、トルマリン鉱石１３は突起部７の先端部にそれぞれ配置されている。
腰部対応部５には円形の粉末付着部１５が多数設けられ、これらの粉末付着部１５は腰部対応部５に密集して配置されている。粉末付着部１５はトルマリン鉱石の粉末を印刷用の技術によって付着されて構成されている。
腰部対応部５の突起部７の周囲には粉末付着部１５が設けられていない空白スペースが設けられている。
【００１２】
ベルト本体３の裏面の右端部には腹部対応部２１が設けられており、この腹部対応部２１には突起部７と同じ形状をした４個の突起部２３が設けられている。腹部対応部２１の中央部には２つの突起部２３ａ、２３ａが左右に小さく間隔をあけて配置されており、突起部２３ａ、２３ａの左右には突起部２３ｂがそれぞれ配置されている。即ち、４個の突起部２３は突起部２３ａ、２３ａの中間を中心として線対称に配置されている。
【００１３】
突起部２３ａにはゲルマニウム鉱石２５が備えられており、突起部２３ｂにはトルマリン鉱石２７が備えられている。これらのゲルマニウム鉱石２５、トルマリン鉱石２７は突起部２３の先端部にそれぞれ配置されている。
腹部対応部２１には円形の粉末付着部２９が多数設けられ、これらの粉末付着部２９は腹部対応部２１に密集して配置されている。粉末付着部２９は粉末付着部１５と同様にトルマリン鉱石の粉末を印刷用の技術によって付着されて構成されている。
腹部対応部２１の突起部２３の周囲には粉末付着部２９が設けられていない空白スペースが設けられている。
【００１４】
ベルト本体３の裏面の左端部には面ファスナーの雄部３１が備えられている。また、ベルト本体３の表面（図３において見える面、即ち腰に巻いたときに体に当接しない側の面）の左右の両端部には面ファスナーの雌部３３、３５が備えられている。
【００１５】
符号４１は一対のサポートバンドを示し、一対のサポートバンド４１は弾性変形可能な幅広の平ゴムによって構成されている。一対のサポートバンド４１はベルト本体３の表面に備えられている。一対のサポートバンド４１は左右対称の構造となっているため、左側のサポートバンド４１について説明し、右側のサポートバンド４１については説明を省略する。
サポートバンド４１の一端はベルト本体３の中央部に固定されている。サポートバンド４１は左方向に延びており、途中で折り返されて右方向に延びている。サポートバンド４１の他端はベルト本体３の中央部に固定されており、サポートバンド４１の両端は互いに重ならない状態に配置されている。
サポートバンド４１の折り返された部分の裏面には面ファスナーの雄部４５が備えられている。
【００１６】
次に、腰ベルト１の使用方法について説明する。
腰部対応部５を腰部に対向させてベルト本体３を腰に巻き、面ファスナーの雄部３１を面ファスナーの雌部３３に連結させる。そして一対のサポートバンド４１をそれぞれ引っ張り、面ファスナーの雄部４５、４５を面ファスナーの雌部３３、３５にそれぞれ連結させる。これにより腰ベルト１が腰に巻かれた状態となる（図４参照）。
腰ベルト１が腰に巻かれた状態では腰部対応部５が腰部に当接し、腹部対応部２１が腹部の前側部分に当接する。また突起部７が腰部を押圧し、突起部２３が腹部の前側部分を押圧する。従って、腰部のみに限られず腹部に対しても指圧効果を発揮することができる。
【００１７】
上記したように突起部７、２３の先端部にはゲルマニウム鉱石１１、２５、トルマリン鉱石１３、２７が備えられているため、ゲルマニウム鉱石１１、２５、トルマリン鉱石１３、２７から発生する遠赤外線等により血行促進効果を発揮する。更にトルマリン鉱石の粉末によって構成される粉末付着部１５、２９から発生する遠赤外線等によっても血行促進効果を発揮する。
従って、突起部７、２３の指圧効果とゲルマニウム鉱石１１、２５、トルマリン鉱石１３、２７、粉末付着部１５、２９の血行促進効果とによって、血行を十分に促進することができる。これにより、筋肉の疲れや筋肉のこりを解消する効果が期待できる。
【００１８】
以上、本考案の実施の形態について詳述してきたが、具体的構成は、この実施の形態に限られるものではなく、本考案の要旨を逸脱しない範囲における設計の変更などがあっても考案に含まれる。
上記実施の形態は、突起部７、２３にゲルマニウム鉱石１１、２５、トルマリン鉱石１３、２７を混在させて構成したが、ゲルマニウム鉱石またはトルマリン鉱石のどちらか一方だけで構成してもよい。
上記実施の形態は、腹部対応部２１を備える構成にしたが、腹部対応部２１を備えない構成にしてもよい。
上記実施の形態は、腹部対応部２１をベルト本体３の裏面の右端部に設け、ベルト本体３を腰に巻くと腹部の前側部分に当接するように構成したが、腹部対応部２１を腰部対応部５に連設し、ベルト本体３を腰に巻くと腹部の両側部分、いわゆる脇腹に当接するように構成してもよい。
上記実施の形態は、腰部対応部５、腹部対応部２１に粉末付着部１５、２９を設ける構成にしたが、粉末付着部１５、２９を設けない構成にしてもよい。また、腰部対応部５と腹部対応部２１のどちらか一方だけに設ける構成にしてもよい。
上記実施の形態は、突起部７を１２個、突起部２３を４個設けたが、突起部の個数を適宜変更してもよい。また突起部の配置も適宜変更してもよい。
【産業上の利用可能性】
【００１９】
本考案は腰をサポートする腰ベルトの製造業に利用可能である。
【符号の説明】
【００２０】
１…腰ベルト      ３…ベルト本体      ５…腰部対応部
７…突起部      １１…ゲルマニウム鉱石      １３…トルマリン鉱石
１５…粉末付着部      ２１…腹部対応部      ２３…突起部
２５…ゲルマニウム鉱石      ２７…トルマリン鉱石
２９…粉末付着部      ３１…雄部      ３３、３５…雌部
４１…サポートバンド      ４５…雄部
【図１】
0003159283.tif 000003
【図２】
0003159283.tif 000004
【図３】
0003159283.tif 000005
【図４】
0003159283.tif 000006